(57)【要約】【課題】設置スペースが小さくレシートプリンタを備える販売データ処理装置を提供する。【解決手段】販売データ処理装置は、表示部と、台座部と、プリンタ部と、支持部とを備える。表示部は、画像を表示する表示デバイスを備え、表示デバイスを制御する制御部を構成するものであって外部機器がケーブルを介して接続される外部接続用端子を複数備える制御基板を内蔵している。プリンタ部は、台座部を幅方向中央部で二分した各部分のうちの一方に備え付けられ、用紙交換に際して開閉される蓋部を上面に備える。支持部は、台座部の前記各部分の他方に設けられ、表示部を、第１の角度範囲でチルト可能かつ第２の角度範囲でスイーベル可能に支持する。第２の角度範囲の最大値は、表示部を蓋部の開閉に干渉しない位置にスイーベルさせる角度である。【選択図】図７
2018106214.tif 000002
【特許請求の範囲】
【請求項１】
画像を表示する表示デバイスを備え、前記表示デバイスを制御する制御部を構成するものであって外部機器がケーブルを介して接続される外部接続用端子を複数備える制御基板を内蔵した表示部と、
台座部と、
前記台座部を幅方向中央部で二分した各部分のうちの一方に備え付けられ、用紙交換に際して開閉される蓋部を上面に備えるプリンタ部と、
前記台座部の前記各部分の他方に設けられ、前記表示部を、第１の角度範囲でチルト可能かつ第２の角度範囲でスイーベル可能に支持し、前記第２の角度範囲の最大値は前記表示部を前記蓋部の開閉に干渉しない位置にスイーベルさせる角度である支持部と、
を備える販売データ処理装置。
【請求項２】
前記支持部は、前記第１の角度範囲でのチルトを実現するチルト機構と、前記第２の角度範囲でのスイーベルを実現するスイーベル機構と、を備え、
前記チルト機構は、前記表示部を両持ちで支持する一対の腕部と、該腕部の各々を水平なチルト軸回りに前記第１の角度範囲で屈曲可能にする肘部と、を備え、
前記スイーベル機構は、前記チルト軸から平面視においてずれた位置に、スイーベルによる回動の中心となるスイーベル軸を有し、
前記台座部は、前記ケーブルを上から下へ通すための孔を上面に有し、
前記ケーブルは、前記一対の腕部の間から前記孔を通って前記台座部に挿通され、
前記孔は、前記表示部が前記第２の角度範囲の最大値までスイーベルされた場合の前記一対の腕部の間に、前記外部接続用端子に接続される前記ケーブルをすべて束ねた場合の断面積以上の面積を有する
ことを特徴とする請求項１に記載の販売データ処理装置。
【請求項３】
前記孔は、前記台座部の上面における前記スイーベル軸よりも正面側に設けられた略半円状部と、前記第２の角度範囲の最大値にスイーベルされた前記表示部に内蔵される前記制御基板の前記外部接続用端子に接続された前記ケーブルに干渉しない位置まで、前記略半円状部を前記スイーベル方向に沿って延ばすように拡張する切欠き部と、を有する
ことを特徴とする請求項２に記載の販売データ処理装置。
【請求項４】
前記孔の前記スイーベル軸に近い方の縁部は、前記略半円状部と前記切欠き部との移り変わり部分において、円みを持って滑らかに切り替わる形状とされている
ことを特徴とする請求項３に記載の販売データ処理装置。
【請求項５】
前記台座部の所定位置に設けられた前記ケーブルを束ねるものであって、前記孔の内側における前記チルト軸および前記スイーベル軸に近い方を前記ケーブルが通るよう留めるクランプをさらに備える
ことを特徴とする請求項２〜４のいずれか１つに記載の販売データ処理装置。
【請求項６】
前記支持部を覆って前記孔からの前記台座部の内部への異物の入り込みを防ぐものであって前記表示部のスイーベルに伴って前記台座部の上で回動する略ドーム形状のカバーをさらに備える
ことを特徴とする請求項２〜５のいずれか１つに記載の販売データ処理装置。
【発明の詳細な説明】
【技術分野】
【０００１】
本発明の実施形態は、販売データ処理装置に関する。
【背景技術】
【０００２】
十分な広さのカウンターがない、例えば小さな売店などにも設置可能な、省スペース型でありながらレシートプリンタを備える販売データ処理装置が、求められている。
【０００３】
従来、省スペースを狙った販売データ処理装置は従来から様々提供されている。中でも、キーボードもレシートプリンタも備えないものは、他のタイプに比べて設置面積が小さい。しかしながら、小売りの現場でレシート発行をまったく行わないとすることは少なく、結局別体のプリンタが接続されるなどして、別途の設置スペースを要している。
【発明の概要】
【発明が解決しようとする課題】
【０００４】
本発明が解決しようとする課題は、設置スペースが小さくレシートプリンタを備える販売データ処理装置を提供することである。
【課題を解決するための手段】
【０００５】
実施形態の販売データ処理装置は、表示部と、台座部と、プリンタ部と、支持部とを備える。表示部は、画像を表示する表示デバイスを備え、前記表示デバイスを制御する制御部を構成するものであって外部機器がケーブルを介して接続される外部接続用端子を複数備える制御基板を内蔵している。プリンタ部は、前記台座部を幅方向中央部で二分した各部分のうちの一方に備え付けられ、用紙交換に際して開閉される蓋部を上面に備える。支持部は、前記台座部の前記各部分の他方に設けられ、前記表示部を、第１の角度範囲でチルト可能かつ第２の角度範囲でスイーベル可能に支持する。前記第２の角度範囲の最大値は、前記表示部を前記蓋部の開閉に干渉しない位置にスイーベルさせる角度である。
【図面の簡単な説明】
【０００６】
【図１】図１は、第１実施形態のＰＯＳ端末装置の外観を示す正面図である。
【図２】図２は、ＰＯＳ端末装置の外観を示す右側面図である。
【図３】図３は、ＰＯＳ端末装置の外観を示す背面側から見た斜視図である。
【図４】図４は、ＰＯＳ端末装置の外観を示す平面図である。
【図５】図５は、表示操作部の内部の構成を簡略化して示す正面図である。
【図６】図６は、プリンタの蓋部を開閉可能な位置まで表示操作部を右へ回動させた状態のＰＯＳ端末装置の外観を示す平面図である。
【図７】図７は、プリンタの蓋部を開閉可能な位置まで表示操作部を右へ回動させた状態のＰＯＳ端末装置の外観を示す正面図である。
【図８】図８は、プリンタの蓋部を開閉可能な位置まで表示操作部を右へ回動させた状態のＰＯＳ端末装置の外観を示す背面側から見た斜視図である。
【図９】図９は、通常のオペレーション時のＰＯＳ端末装置の右側面図である。
【図１０】図１０は、メンテナンス時のＰＯＳ端末装置の右側面図である。
【図１１】図１１は、カバーが取り外された状態で概略的に示した支持部の平面図であって、表示操作部が正面を向いているときの状態を示す図である。
【図１２】図１２は、カバーが取り外された状態で概略的に示した支持部の平面図であって、表示操作部が最も大きく右にスイーベルされたときの状態を示す図である。
【図１３】図１３は、スイーベル機構およびその周辺部である台座部の一部の平面図である。
【図１４】図１４は、チルト機構の平面図である。
【発明を実施するための形態】
【０００７】
（第１実施形態）
実施形態について図面を用いて説明する。図１〜図４は、ＰＯＳ端末装置１００の外観を示す図であって、図１は正面図、図２は右側面図、図３は背面側から見た斜視図、図４は平面図である。ＰＯＳ端末装置１００は、オペレータの操作により、販売する商品のデータを登録し、登録された商品の代金を算出し、代金の決済処理を行う、販売データ処理装置の一例である。ＰＯＳ端末装置１００は、表示操作部１１０、台座部１２０、支持部１３０、およびプリンタ部１４０を備えている。
【０００８】
表示操作部１１０は、表示部の一例である。表示操作部１１０は、ＰＯＳ端末装置１００の正面に向けて、表示デバイス１１１とタッチパネル１１２とを、備えている。表示デバイス１１１は、画像を表示して、オペレータに向けて情報を提供する。タッチパネル１１２は、表示デバイス１１１の表示内容に応じた操作を、オペレータから受け付ける。
【０００９】
また、表示操作部１１０は、制御基板１１３を内蔵している。制御基板１１３は、制御部を構成するものであって、ＣＰＵ（Central  Processing  Unit）やＲＯＭ（Read  Only  Memory）、ＲＡＭ（Random  Access  Memory）などが実装された、マザーボードなどとも呼ばれるものである。制御部は、ＲＯＭが記憶するプログラムをＣＰＵが実行することにより、実現される。ＲＡＭは、ＣＰＵが各種プログラムを実行する際にデータやプログラムを一時的に記憶する。制御部は、表示デバイス１１１やタッチパネル１１２などの各部を制御する。
【００１０】
図５は、表示操作部１１０の内部の構成を簡略化して示す正面図である。制御基板１１３は、各種の外部機器がケーブル１１４を介して接続される外部接続用端子１１５を、複数備えている。外部接続用端子１１５は、制御基板１１３に、例えば２０個以上設けられている。なお、図面では、外部接続用端子１１５は、簡略化のために少なく図示してある。外部接続用端子１１５は、表示操作部１１０の下側を向いており、ケーブル１１４は、外部接続用端子１１５に、下から上へ向かって差し込まれている。
【００１１】
外部機器としては、例えば、釣銭機や電子マネー決済用の端末、ハンドスキャナなどがある。例えば釣銭機用の外部接続用端子１１５は、ドロワを使用する店舗では使われない。このように、どの外部接続用端子１１５が使用され、ケーブル１１４の総数が何本になるかは、ＰＯＳ端末装置１００の納入先店舗の要望に応じて異なる。
【００１２】
プリンタ部１４０は、レシートなどを印字して発行する。プリンタ部１４０は、台座部１２０を幅方向中央部で二分した各部分のうちの一方（例えば左半分）に備え付けられている。プリンタ部１４０は、用紙収納部と印字部とを内蔵している。用紙収納部は、レシートとする用紙（例えば帯状の感熱紙が巻かれたロール紙）を収納する。印字部は、例えばサーマルヘッドとプラテンローラとを備える。
【００１３】
そしてプリンタ部１４０は、用紙交換などに際して開閉される蓋部１４１を、上面に備えている。図１〜図４に示す状態では、蓋部１４１の上方に表示操作部１１０が存在し、このままの状態で蓋部１４１を用紙交換可能に開放することはできない。本実施形態においては、用紙の交換（または補充）の頻度は、例えば１日あたり概ね２回程度と見込む。用紙交換（補充）の都度、蓋部１４１を開放するために、表示操作部１１０を移動させるスイーベル動作が必要となる。
【００１４】
支持部１３０は、台座部１２０を幅方向中央部で二分した各部分の他方に設けられ、表示操作部１１０を支持する。支持部１３０は、表示操作部１１０を、第１の角度範囲でチルト可能、かつ、第２の角度範囲でスイーベル可能に支持する。第２の角度範囲の最大値は、表示操作部１１０を、蓋部１４１の開閉に干渉しない位置にスイーベルさせる角度である。
【００１５】
図６〜図８は、プリンタ部１４０の蓋部１４１を開閉可能な位置まで表示操作部１１０を右へ回動させた状態のＰＯＳ端末装置１００の外観を示す図であって、図６は平面図、図７は正面図、図８は背面側から見た斜視図である。
【００１６】
第２の角度範囲は、例えば、画面が正面を向いた状態から、向かって左（プリンタ部１４０のある側）に１５°、右に６０°の範囲である。左に比べて右の回動角度範囲が大きくされているのは、表示操作部１１０を、プリンタ部１４０の蓋部１４１の開閉を妨げない位置まで、移動させるためである。
【００１７】
図９および図１０は、ＰＯＳ端末装置１００の右側面図である。第１の角度範囲は、例えば、水平と画面とがなす角αが７０°の位置から、水平と画面とがなす角βが１０°の位置までの範囲である。
【００１８】
角αとしては、７０°〜４５°程度の範囲を想定してある。この角αとして想定された角度範囲は、ＰＯＳ端末装置１００の使用時にオペレータが画面を自身にとって見やすい向きに合わせることを可能とするために設定された角度範囲である。
【００１９】
また、角βは、表示操作部１１０の下面を、正面向きを通り越してやや上向きにする角度である。外部接続用端子１１５にケーブル１１４を差し込む際、表示操作部１１０を角βの位置までチルトさせることにより、外部接続用端子１１５をやや上向きにすることができるので、作業性が向上する。
【００２０】
ここで、支持部１３０は、第１の角度範囲を二分するストッパーを備えている。ストッパーは、第１の角度範囲を、角αの範囲でのチルトを自在とする第１段階と、ストッパー解除により角βまでチルト可能とする第２段階と、に分ける。つまり、ストッパーがかけられた状態では、第１の角度範囲のうち第１段階の角αだけに限って、チルト可能である。
【００２１】
ストッパーを解除しての角βまでのチルトは、ケーブル１１４を差し込むなどのメンテナンス時にサービスマンが用いるもので、オペレータによる通常のオペレーションにおいては使用しない。仮に、表示操作部１１０が第１の角度範囲の全域に渡って連続的にチルト可能であると、スイーベル時に誤って不必要に大きくチルトさせてしまうなどの不都合が起こりうる。これに対し、大きくチルトすることを防ぐストッパーがあることにより、スイーベル時にはスイーベル方向へ効率的に力を作用させやすくなるので、オペレータにとって扱いやすいものとすることができる。
【００２２】
次に、カバー１５０について説明する。ＰＯＳ端末装置１００は、支持部１３０を覆うカバー１５０を備えている。カバー１５０は、二つのピースからなり、前側部分と後ろ側部分とに二分可能である。カバー１５０は、略ドーム形状をなし、平面視の外形は円形であり、台座部１２０に接する縁１５１は円を描く。そして、カバー１５０は、表示操作部１１０のスイーベルに伴って、台座部１２０上で回動する。
【００２３】
ここで、図１１および図１２は、カバー１５０が取り外された状態で概略的に示した支持部１３０の平面図であって、図１１は表示操作部１１０が正面を向いているときの状態、図１２は表示操作部１１０が最も大きく右にスイーベルされたときの状態を示す。なお、図１１および図１２における上方が、ＰＯＳ端末装置１００の正面側である。
【００２４】
支持部１３０は、スイーベル機構２００と、チルト機構３００と、を備える。図１３は、スイーベル機構２００およびその周辺部である台座部１２０の一部の平面図である。図１４は、チルト機構３００の平面図である。
【００２５】
ここで、図１３に示すように、台座部１２０は、筐体の上部に、孔１２１を有する。孔１２１は、ケーブル１１４群を台座部１２０の上から下へ通すためのものである。この孔１２１は、カバー１５０により、支持部１３０とともに覆われる。カバー１５０は、クリップなどの異物が孔１２１から台座部１２０の筐体内に紛れ込むことを防ぐ。
【００２６】
チルト機構３００は、表示操作部１１０とスイーベル機構２００との間に設けられ、両者をつなぐ。チルト機構３００は、表示操作部１１０の画面の仰角を任意に変更可能とするもので、回動軸（チルト軸Ｐ）回りに第１の角度範囲でのチルトを実現する。スイーベル機構２００は、スイーベル軸Ｏ回りに、第２の角度範囲で、チルト機構３００を回動させる。
【００２７】
チルト機構３００は、一対の腕部３１０，３２０と、これらを繋ぐ平板部３３０とを備える。平板部３３０は、スイーベル機構２００に連結されており、スイーベル機構２００により台座部１２０に対して回動自在である。腕部３１０，３２０は、表示操作部１１０を、背面側から両持ちで支持する。
【００２８】
チルト機構３００はさらに、一対の腕部３１０，３２０の各々を、水平なチルト軸Ｐ回りに、第１の角度範囲で屈曲可能にする肘部３４０，３５０を備える。腕部３１０は、第１棒材３１１と第２棒材３１２とに分かれており、肘部３４０は、第１棒材３１１の一端部と第２棒材３１２の一端部とを、第１の角度範囲で互いに回動自在に、接続している。同様に、腕部３２０は、第１棒材３２１と第２棒材３２２とに分かれており、肘部３５０は、第１棒材３２１の一端部と第２棒材３２２の一端部とを、第１の角度範囲で互いに回動自在に、接続している。
【００２９】
本実施形態のチルト軸Ｐは、スイーベル軸Ｏと平面視において距離ｇだけずれて位置している。従来、チルトとスイーベルとが併用された装置では、チルト軸Ｐとスイーベル軸Ｏとが平面視において重なっている。この従来の設計の場合、ケーブル１１４を台座部１２０に通す際に、ケーブル１１４がスイーベル軸Ｏと干渉する。この干渉も、表示操作部１１０から台座部１２０へ這わせられるケーブル１１４の本数が従来のように１〜２本程度であれば問題ない。しかしながら、本実施形態のように多数本であると、ケーブル１１４に無理な負荷をかけないように配線することが難しくなる。本実施形態は、制御基板１１３を、台座部１２０にではなく表示操作部１１０に搭載することにより、台座部１２０を小さくして設置面積を抑えて、省スペース化している。これにより、本実施形態のケーブル１１４は、多数本となっている。このため、本実施形態のように、一対の腕部３１０，３２０による両持ち支持として、チルト軸Ｐとスイーベル軸Ｏとを平面視においてずれさせることによって、ケーブル１１４とスイーベル軸Ｏとの干渉を避けている。
【００３０】
次に、ケーブル１１４が挿通される孔１２１の形状について説明する。孔１２１は、略半円状部１２２と、切欠き部１２３と、を有する。略半円状部１２２は、台座部１２０の上面におけるスイーベル軸Ｏよりも正面側に設けられており、概ね半円形状をなしている。切欠き部１２３は、第２の角度範囲の最大値にスイーベルされた表示操作部１１０に内蔵される制御基板１１３の外部接続用端子１１５に接続されたすべてのケーブル１１４に干渉しない位置まで、略半円状部１２２をスイーベル方向に沿って延ばすように拡張している。
【００３１】
このような孔１２１は、表示操作部１１０が第２の角度範囲の最大値までスイーベルされた場合の腕部３１０と腕部３２０との間に、外部接続用端子１１５に接続されるケーブル１１４をすべて（例えば２０本以上）束ねた場合の断面積以上の面積を、有する。
【００３２】
また、孔１２１のスイーベル軸Ｏから遠い方の縁部１２１ａは、円弧状であって、スイーベルに伴って移動するケーブル１１４が触れた場合に、ケーブル１１４を滑らかに案内する。
【００３３】
さらに、孔１２１のスイーベル軸Ｏに近い方の縁部１２１ｂは、略半円状部１２２と切欠き部１２３との切り替わり部分である境１２４において、角張らないよう面取り加工が施されてまるめられている。これにより、縁部１２１ｂは、境１２４において、略半円状部１２２と切欠き部１２３とが、円みを持って滑らかに切り替わる形状とされている。
【００３４】
さらに、台座部１２０の下面の４隅の各々には、ゴム足１２５が取り付けられている。ゴム足１２５は、台座部１２０の下面と台座部１２０が載置されるカウンター上面との間の隙間が従来よりも大きくなるよう、従来よりも長めのものとされている。このようにしている理由は、台座部１２０の下面とカウンター上面との間に、ケーブル１１４のためのスペースを設けるためである。
【００３５】
台座部１２０に挿通されたケーブル１１４は、台座部１２０の下面から出されて、台座部１２０の前側や後側へ這わせられる。ケーブル１１４が台座部１２０の前へ出されるか後へ出されるかは、ＰＯＳ端末装置１００が載置されるカウンターの状態による。例えば、ＰＯＳ端末装置１００の背面側を目隠しする側板があるカウンターであれば、台座部１２０の後へケーブル１１４を出しても、客の邪魔にならず、また、雑然とした印象を与えてしまうこともない。また、ＰＯＳ端末装置１００の背面側が目隠しされないカウンターであれば、台座部１２０の前へケーブル１１４を出せば、客の邪魔にならず、客からの見た目を損なわない。
【００３６】
次に、図９に示すクランプ１６１，１６２について、説明する。ＰＯＳ端末装置１００は、ケーブル１１４群を束ねるクランプ１６１，１６２を備えている。クランプ１６１，１６２で束ねられることにより、ケーブル１１４は、暴れにくくなり、外部接続用端子１１５から抜け落ちにくくなる。
【００３７】
クランプ１６１は、チルト軸Ｐの近傍に設けられている。クランプ１６２は、台座部１２０内のスイーベル軸Ｏの近傍に設けられている。所定位置に設けられたクランプ１６１，１６２は、孔１２１の内側におけるチルト軸Ｐおよびスイーベル軸Ｏに近い方をケーブル１１４群が通るよう、ケーブル１１４群を留める。
【００３８】
このような構成のＰＯＳ端末装置１００において、プリンタ部１４０の用紙補充交換時には、オペレータが、表示操作部１１０を、向かって右へ大きくスイーベルさせ、蓋部１４１に干渉しない位置まで回動させる。次に、オペレータは、蓋部１４１を開放して、用紙を補充または交換する。その後、オペレータは、蓋部１４１を閉じ、表示操作部１１０を向かって左へスイーベルさせて元に戻す。
【００３９】
また、メンテナンス時には、サービスマンが、表示操作部１１０を大きくチルトさせ、さらにストッパーを解除して表示操作部１１０を仰向ける。そして、ケーブル１１４に関する作業を終えると、サービスマンは、表示操作部１１０の向きを元に戻す。
【００４０】
スイーベルに際して、ケーブル１１４は、腕部３１０，３２０の移動に伴い、孔１２１内を移動する。また、クランプ１６１，１６２で束ねられているので、ケーブル１１４は、孔１２１の内側におけるスイーベル軸Ｏおよびチルト軸Ｐに近い方に位置する。このような構成により、スイーベルに際してケーブル１１４に引き攣れやねじれが起こりにくくなる。これらにより、ケーブル１１４に負荷がかかりにくくなり、ケーブル１１４の寿命が損なわれない。
【００４１】
さらに、切欠き部１２３が設けられていることにより、表示操作部１１０が第２の角度範囲の最大値までスイーベルされた場合でも、ケーブル１１４が孔１２１の縁に押し付けられることがない。このため、ケーブル１１４に無理な負荷を与えることがないので、ケーブル１１４の寿命が損なわれない。
【００４２】
省スペースを狙って構成された販売データ処理装置は、従来様々提供されており、各々が有する省スペースの次に叶えるべき課題に応じて異なる構成を備えている。例えば、スーパーマーケットの精算レーンに設置されてオペレータにより操作されるタイプの販売データ処理装置ならば、スキャナやキーボード、各種表示部、レシートプリンタ、カードリーダなどをフル装備で搭載した上でのコンパクトさが求められる。これは、購入される商品の点数や種類が多いためや、多くの支払方法に対応するためである。
【００４３】
一方、例えば、小さな売店であると、タッチパネルやスキャナがあるならばキーボードの必要性が低かったり、レシートプリンタは一体であることが望まれたり、というニーズがある。
【００４４】
このように、使用される場面に応じて、何を備え何を省略したのかが、それぞれの販売データ処理装置で異なる。本実施形態のＰＯＳ端末装置１００は、どちらかといえば小さな売店を想定したものであって、オプションの装置なしに単体で取引を終えることができるようにした上でのコンパクトさを実現するものである。
【００４５】
小売りの場で、紙のレシートをまったく不要としていることは、まだ少ない。本実施形態のＰＯＳ端末装置１００はプリンタ部１４０を一体に備えているので、別体のプリンタ装置を設ける必要がない。このため、運用時のトータルの設置面積が抑えられる。
【００４６】
さらに、本実施形態のＰＯＳ端末装置１００は、プリンタ部１４０を備えていながら、従来のプリンタなしのＰＯＳ端末装置と同程度の設置面積に抑えられている。これは、従来は一般に台座部１２０に内蔵されていた制御基板１１３が、表示操作部１１０に内蔵されていることで、台座部１２０をコンパクト化できているためである。
【００４７】
そして、制御基板１１３が台座部１２０の外にあることで、ケーブル１１４が表示操作部１１０と台座部１２０との間に這わせられるが、本実施形態の支持部１３０および孔１２１によれば、ケーブル１１４の引き攣れやねじれを防ぎ、また、ケーブル１１４に無理な負荷が加えられることを防ぐことができる。
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１００…ＰＯＳ端末装置（販売データ処理装置）
１１０…表示操作部（表示部）
１１１…表示デバイス
１１２…タッチパネル
１１３…制御基板
１１４…ケーブル
１１５…外部接続用端子
１２０…台座部
１２１…孔、１２１ａ…縁部、１２１ｂ…縁部
１２２…略半円状部
１２３…切欠き部、１２４…境
１２５…ゴム足
１３０…支持部
１４０…プリンタ部
１４１…蓋部
１５０…カバー、１５１…縁
１６１，１６２…クランプ
２００…スイーベル機構
３００…チルト機構
３１０…腕部、３１１…第１棒材、３１２…第２棒材
３２０…腕部、３２１…第１棒材、３２２…第２棒材
３３０…平板部
３４０，３５０…肘部
Ｏ    …スイーベル軸
Ｐ    …チルト軸
【先行技術文献】
【特許文献】
【００５０】
【特許文献１】特開２０００−１０４９５号公報
【図１】
2018106214.tif 000003
【図２】
2018106214.tif 000004
【図３】
2018106214.tif 000005
【図４】
2018106214.tif 000006
【図５】
2018106214.tif 000007
【図６】
2018106214.tif 000008
【図７】
2018106214.tif 000009
【図８】
2018106214.tif 000010
【図９】
2018106214.tif 000011
【図１０】
2018106214.tif 000012
【図１１】
2018106214.tif 000013
【図１２】
2018106214.tif 000014
【図１３】
2018106214.tif 000015
【図１４】
2018106214.tif 000016